(57)【要約】【課題】  帯状フィルムの送り方向が高速化しても、センターシール部を確実に倒すことができる折曲げ装置の提供を目的とする。【解決手段】  回転体２１の外周面２２がセンターシール部１５に当たる部分１５ａでは、センターシール部１５に対して曲げの力が働くいっぽう、センターシール部１５の先端側１５ｂでは回転体２１の曲げの力が自由端になるから、回転体２１にセンターシール部１５が無理なく働き、帯状フィルム３が高速可していても、また、センターシール装置５によってセンターシール部１５が加熱していた場合にでも、センターシール部１５に皺が寄らず、センターシール部１５を確実に倒すことができる。【選択図】  図３
2019214397.tif 000002
【特許請求の範囲】
【請求項１】
帯状フィルムの搬送方向途中に、帯状フィルムの両側端部を重ね合わせてセンターシール部を加熱によって形成するセンターシール装置と、該センターシール装置に対して下流側に配置されて、前記センターシール部により筒状に形成された帯状フィルムを所定間隔をあけて幅方向に溶着するエンドシール装置を備えたピロー包装機に設けられ、前記センターシール装置と前記エンドシール装置との間に配置された折曲げ装置であって、
回転体を備え、該回転体の外周面は、前記センターシール部に接触して、該センターシール部を、前記筒状の形成された帯状フィルムの幅方向に倒す方向へ駆動するよう構成されたことを特徴とする折曲げ装置。
【請求項２】
前記回転体の外周面は、前記センターシール部の基端部に接続する請求項１に記載の折曲げ装置。
【請求項３】
前記回転体の外周面における半径は、前記センターシール部の高さと同等か、短く形成されている請求項２に記載の折曲げ装置。
【請求項４】
前記帯状フィルムの搬送方向への送り速度に比べて、前記回転体の駆動速度が等しいか、駆動速度が速い請求項１または請求項３に記載の折曲げ装置。
【請求項５】
前記回転体の外周面は、前記帯状フィルムの搬送方向である前記センターシール部の搬送方向に対して、垂直な方向に回転する請求項１ないし請求項４に記載の折曲げ装置。
【請求項６】
前記回転体の外周面における前記センターシール部に接触する面は、弾性ゴムもしくは表面が滑り止め加工された金属、または樹脂で形成された請求項１ないし請求項５に記載の折曲げ装置。
【請求項７】
被包装物を包装した状態で、帯状フィルムの両側端部を重ね合わせて筒状に形成する製袋器と、該製袋器の下流側に配置された送りコンベアと、該送りコンベアの下流側あって、前記被包装物を前記帯状フィルムごと個別に包装するエンドシール装置を備えたピロー包装機において、
前記製袋器は、前記被包装物を前記帯状フィルムごと前記送りコンベアに搬送する載置台を備え、
前記載置台の下側に、前記帯状フィルムの両側端部を重ね合わせてセンターシール部を加熱によって形成するセンターシール装置を備え、
前記載置台における、前記センターシール装置の下流側に、請求項１ないし請求項６に記載の折曲げ装置を備えたことを特徴とする包装機。
【発明の詳細な説明】
【技術分野】
【０００１】
本発明は、被包装物を包装する帯状フィルムに施されたセンターシール部を、帯状フィルムに沿うよう折曲げる折曲げ装置、およびこれを備えたピロー包装機に関する。
【背景技術】
【０００２】
特許文献１には、ピロー包装機が記載されている。ピロー包装機は、連続して供給される帯状フィルムを、被包装物を包装した状態で筒状に形成するフォーマと、フォーマの下流側にある上板の直下に設けられ、筒状に形成された帯状フィルムの両側端部を重ね合わせたセンターシール部をシールするセンターシール装置と、センターシール部が施された帯状フィルムを下流側へ送る搬送コンベアと、被包装物を、帯状フィルムごと個別に包装するエンドシール装置を備えている。
【０００３】
フォーマの下流側にある上板は、二枚の板状体から構成され、この二枚の板状体の間に形成される隙間に、帯状フィルムの両側端部が重ね合わせられ、センターシール装置により、帯状フィルムの両側端部に対してセンターシール部が施される。
【０００４】
特許文献１の〔背景技術〕には、帯状フィルムに施されたセンターシール部を、帯状フィルムに沿うよう折曲げる折曲げ装置を備えた構成が記載されている。折曲げ装置は、センターシール装置の下流側に配置され、エンドシール装置は、センターシール部を含んで帯状フィルムを個別に包装すべく設けられている。
【０００５】
折曲げ装置は、三角形の板を加工してなる折曲げ板を備え、折曲げ板は、フィルム搬送方向の上流側に頂点が向くように「へ」の字に折曲げられてなり、折曲げ板の傾斜によって、徐々にセンターシール部が折曲げられる。そして、センターシール部は、折曲げ装置の下流側に配置された搬送コンベアと、帯状フィルムの本体とで挟まれて下流側に送られる。
【０００６】
しかしながら、このような〔背景技術〕における折曲げ装置では、上板の厚み分だけ、センターシール部を折曲げることができず、これに伴う弊害が指摘されている。そこで、特許文献１の提案がなされている。
【０００７】
特許文献１の折曲げ装置では、上板の構成として、隙間内をセンターシール部が通過するように、一定の間隔をおいて配置される一対の第１板状部材、第２板状部材を備え、隙間は、入口側の第１直線通路と出口側の第２直線通路とを横方向に所定距離だけずらすとともに、両通路を傾斜通路で繋ぐように構成した。これにより、センターシール部が隙間内を移動することで、傾斜通路に至ると、直線移動が妨げられ、上板の上面側に押し上げられて折曲げに至る。
【先行技術文献】
【特許文献】
【０００８】
【特許文献１】特開２０１０−１７９９５５号公報
【発明の概要】
【発明が解決しようとする課題】
【０００９】
ところで、近年では、ピロー包装機が高速化していること、すなわち帯状フィルムの送り方向が高速化している。
【００１０】
特許文献１の〔背景技術〕で紹介された折曲げ装置は、センターシール装置の下流側にあるから、前述のとおり高速化することからすれば、センターシール部は、加熱が静まっていない状態にある。このような高温な状態になると、折曲げ板に対し抵抗が大きくなってセンターシール部の滑りがわるくなり、皺の原因になってしまう。
【００１１】
また、特許文献１に提案されている折曲げ装置の場合も同様で、この折曲げ装置では、センターシール部が隙間内を移動することで傾斜通路に至ると、直線移動が妨げられる。しかしながら、センターシール部は、センターシール装置の下流側にあり、加熱が静まっていない状態にあるから、前述のとおり高速化すると、傾斜通路に対する抵抗が大きくなって、センターシール部の滑りがわるくなり、皺の原因となってしまう。
【００１２】
そこで本発明は、帯状フィルムの送り方向が高速化しても、センターシール部を確実に倒すことができる折曲げ装置、およびピロー包装機の提供を目的とする。
【課題を解決するための手段】
【００１３】
本発明は、帯状フィルムの搬送方向途中に、帯状フィルムの両側端部を重ね合わせられるセンターシール部を加熱によって形成するセンターシール装置と、該センターシール装置に対して下流側に配置されて、前記センターシール部により製袋された所定範囲の領域を切断するエンドシール装置とを備えて、前記センターシール装置と前記エンドシール装置との間に配置された折曲げ装置であって、回転体を備え、該回転体の外周面は、前記センターシール部に接触して、該センターシール部を前記本体に対して倒す方向へ駆動するよう構成されたことを特徴としている。
【００１４】
上記構成を備えた本発明によれば、センターシール装置と、センターシール装置の下流側にあるエンドシール装置との間に、センターシール部に接触して倒す方向へ駆動する回転体を設けることで、回転体の外周面がセンターシール部に当たる部分では、回転体の駆動によってセンターシール部に対して幅方向への曲げの力が働くから、センターシール装置によってセンターシール部が加熱していた場合にでも、センターシール部を回転体によって抵抗なく確実に倒すことができる。
【００１５】
本発明では、前記回転体の外周面は、前記センターシール部の基端部に接続する構成が採用できる。
【００１６】
上記構成によれば、回転体の外周面がセンターシール部の基端部に配置されたことにより、センターシール部の基端部側から倒すことができる。
【００１７】
本発明では、前記回転体の外周面における半径は、前記センターシール部の高さと同等か、短く形成されている構成を採用できる。
【００１８】
上記構成のような半径を持った回転体の外周面が、センターシール部の基端部に配置されたことにより、センターシール部を充分な角度に無理なく倒すことができる。
【００１９】
本発明では、前記帯状フィルムの搬送方向への送り速度に比べて、前記回転体の駆動速度が等しいか、駆動速度が速い構成を採用できる。
【００２０】
上記構成では、帯状フィルムの搬送方向への送り速度に比べて、回転体の回転速度が等しいか、回転速度が速いことにより、センターシール装置によってセンターシール部が加熱していた場合にでも、センターシール部を回転体の回転方向に伸ばしながら倒すことができ、したがって、センターシール部を確実に倒すことができる。
【００２１】
本発明では、前記回転体の外周面は、前記帯状フィルムの搬送方向である前記センターシール部の搬送方向に対して、垂直な方向に回転する構成を採用できる。
【００２２】
上記構成によれば、回転体の外周面がセンターシール部の搬送方向に対し垂直面で回転するから、センターシール部が、搬送方向に対し直角に倣うように倒される。
【００２３】
本発明では、前記回転体の外周面における前記センターシール部に接触する面は、弾性ゴムもしくは表面が滑り止め加工された金属、または樹脂で形成された構成を採用できる。
【００２４】
上記構成によれば、回転体の外周面がセンターシール部に接触した際に、回転体の外周面により、センターシール部が回転体の回転方向に伸ばされる。
【００２５】
本発明のピロー包装機は、被包装物を包装した状態で、帯状フィルムの両側端部を重ね合わせて筒状に形成する製袋器と、該製袋器の下流側に配置された送りコンベアと、該送りコンベアの下流側あって、前記被包装物を前記帯状フィルムごと個別に包装するエンドシール装置を備え、前記製袋器は、前記被包装物を前記帯状フィルムごと前記送りコンベアに搬送する載置台を備え、前記載置台の下側に、前記帯状フィルムの両側端部を重ね合わせてセンターシール部を加熱によって形成するセンターシール装置を備え、前記載置台における、前記センターシール装置の下流側に、上記何れかの折曲げ装置を備えたことを特徴としている。
【００２６】
上記構成を備えた本発明の包装機によれば、製袋器により帯状フィルムが被包装物を包装して製袋され、載置台の下側に配置したセンターシール装置により、帯状フィルムの両側端部を重ね合わせたセンターシール部が、加熱によって形成され、被包装物が帯状フィルムとともに搬送されると、センターシール装置の下流側に配置された上記何れかの折曲げ装置によって、回転体の外周面がセンターシール部に当たる部分では、回転体の回転駆動によってセンターシール部に対して幅方向への曲げの力が働くから、センターシール装置によってセンターシール部が加熱していた場合にでも、センターシール部を回転体によって抵抗なく確実に倒すことができ、被包装物が帯状フィルムごと送りコンベアに送られ、エンドシール装置で個別に包装できる。
【発明の効果】
【００２７】
本発明の折曲げ装置、およびピロー包装機では、回転体の外周面がセンターシール部に当たる部分では、回転体の回転駆動によって、センターシール部に対して曲げの力が働くから、センターシール装置によってセンターシール部が加熱していた場合にでも、帯状フィルムの本体に対しセンターシール部を確実に倒すことができる。
【図面の簡単な説明】
【００２８】
【図１】本発明の一実施形態を表す包装機の平面図である。
【図２】同側面図である。
【図３】同折曲げ装置部分の正面図である。
【図４】同折曲げ装置部分の側面図である。
【図５】同折曲げ装置部分の平面図である。
【図６】同折曲げ装置に至る前である、製袋器の載置台に載置された帯状フィルムの説明図で、（ａ）は正面図、（ｂ）は（ａ）におけるＡ部拡大図である。
【図７】同折曲げ装置に至った時の、製袋器の載置台に載置された帯状フィルムの説明図で、（ｃ）は正面図、（ｄ）は（ｃ）におけるＢ部拡大図である。
【発明を実施するための形態】
【００２９】
以下、本発明の一実施形態に係る折曲げ装置について説明する。折曲げ装置以外の包装機１の構成については、一般的な構成であるので、まず、図１ないし図３を参照して、包装機１全体の概略構成を説明する。
【００３０】
包装機１は横型ピロー包装機であり、被包装物２を供給する供給部（図示せず）を備える。また、包装機１は、被包装物２とともにロール状の帯状フィルム３の両側端部を重ね合わせて製袋する製袋器（「フォーマ」ともいう）４と、帯状フィルム３の両側端部を重ね合わせるよう加熱により溶着するセンターシール装置５と、製袋器４の下流側に配置された送りコンベア６と、送りコンベア６の下流側にあって、被包装物２を帯状フィルム３ごと加熱溶着しつつ切断することによって個別に包装するエンドシール装置７とを備える。さらに、包装機１は、エンドシール装置７の下流側にあって、個別に包装された被包装物２を、帯状フィルム３を熱収縮させる加熱部（図示せず）とを備えている。このような構成により、帯状フィルム３としては、シュリンクフィルムが用いられている。
【００３１】
供給部、製袋器４、送りコンベア６、加熱部のそれぞれには、被包装物２の搬送面が設けられている。
【００３２】
図２に示すように、製袋器４は、筒状の製袋本体８と載置台１０とを備える。製袋器４の載置台１０の上面１０ａは、互いに搬送方向に平行であって、図３に示すように、左右方向（帯状フィルム３の幅方向）で左右対称な一方台１１と他方台１２とを備えている。
【００３３】
また、一方台１１と他方台１２の上流側端部は、図１に示すように、下流側へ向けて傾斜する呼び込板１３を備えて、左右対称形状とされている。一方台１１と他方台１２は、所定の隙間δを介して配置される。この隙間δは、呼び込板１３に連続して形成され、且つ搬送方向に平行であって、帯状フィルム３の両側端部を重ね合わせることができる程度に配置されている。また、隙間δは、載置台１０の搬送方向の全域に亘って形成されている。
【００３４】
センターシール装置５は、載置台１０の下面に設けられている。センターシール装置５は、縦軸５ａを介して水平方向で回転するよう一対で設けられたセンターシーラ１４を備えている。このセンターシーラ１４は、前記隙間δに対して接近離間するよう構成されている。
【００３５】
このようなセンターシール装置５は、帯状フィルム３の重ね合わせた両側面部を所定幅で加熱溶着して、所定高さで搬送方向に連続したセンターシール部１５が形成される。なお、センターシール装置５には、センターシール装置５によって帯状フィルム３の両側端部を重ね合わせて溶着した後、不要な部分を屑として切除してセンターシール部１５の高さを揃える切除部が敷設されている。
【００３６】
図２に示すように、送りコンベア６は、製袋器４の下流側直下に配置されている。送りコンベア６は、上下一対で設けられた下コンベア１６と、下コンベア１６の上側に配置された上コンベア１７とを備える。このうち上コンベア１７は、被包装物２のサイズにより上下動するよう構成されている。下コンベア１６の搬送面１６ａは、製袋器４の載置台１０の上面１０ａと略平行に配置されている。送りコンベヤ６の搬送面１６に被包装物２が載置され、被包装物２は、下コンベア１６と上コンベア１７とで下流側に搬送される。
【００３７】
エンドシール装置７は、送りコンベア６の下流直下に配置されている。エンドシール装置７は、上下一対の下側シーラ１８、上側シーラ１９を備え、シーラを備え、下側シーラ１８は上下動して上側の上側シーラ１９に接近離間するよう構成されている。エンドシール装置７は、送りコンベア６で搬送された被包装物２を、帯状フィルムごと個別に包装するべく、上側シーラ１９および下側シーラ１８で溶断する。
【００３８】
以上が、包装機１全体の概略構成である。この包装機１には、前記折曲げ装置２０が設けられている。図３に示すように、折曲げ装置２０は、前記センターシール部１５に接触して、センターシール部１５を、帯状フィルム３の本体３ａに対して倒す方向へ駆動するよう構成されている。
【００３９】
なお、この場合の本体３ａは、センターシール部１５以外の帯状フィルム３部分であって、特に被包装物２として干麺を投入した容器の外面に沿う方向であり、該外面を覆う帯状フィルム部分として特定される。
【００４０】
図２に示すように、折曲げ装置２０は、センターシール装置５とエンドシール装置７の間に配置されている。折曲げ装置２０は回転体２１を備え、回転体２１は、センターシール装置５と送りコンベア６との間に配置されている。具体的には、回転体２１は、載置台１０の下流端部にあって、センターシール装置５の下流側に配置されている。
【００４１】
図３に示すように、回転体２１は、搬送方向に沿った軸心２１ａ回りに回転することで、外周面２２が搬送方向に垂直な方向で回転する円盤状の構成を有している。回転体２１における厚み（搬送方向での厚み）は、回転体２１における外径に比べて充分に小さく形成される。
【００４２】
回転体２１の外周面２２の軸心２１ａは、前記隙間δの幅方向中心に一致するよう配置され、外周面２２は、隙間δからわずかに離間して設けられている。外周面２２は、合成ゴム（例えば、ネオプレーンゴム、シリコンゴム、ウレタンコム）から構成される。図４に示すように、回転体２１の外周面２２における半径寸法αは、センターシール部１５に対する載置台１０の高さ寸法βよりも長く形成されている。
【００４３】
また、図４に示すように、回転体２１の外周面２２には、円錐台形状の案内板２３が、上流側を先端として形成されている。なお、回転体２１は、包装機基体２４（図１参照）にブラケット２５を介して、載置台１０の隙間δの下面からわずかに離間して配置されている。
【００４４】
折曲げ装置２０は、回転体２１を駆動するための駆動部２６を備えている。ここで駆動部２６の構成について説明する。まず、駆動部２６は、帯状フィルム３における搬送のための送り駆動源（図示せず）に共用されている。駆動部２６は、帯状フィルム３のフィルム駆動源に連結されたギヤ装置２７と、図５に示すように、ギヤ装置２７の駆動を回転体２１に伝達する伝達部２８とを有する。
【００４５】
図４に戻り、ギヤ装置２７は、包装機基体２４（図１参照）に設けられて、前記フィルム駆動源に直結する駆動ギヤ３０と、従動ギヤ３１と、包装機基体２４に設けられて駆動ギヤ３０と従動ギヤ３１との間に配置されたテンションギヤ３２とを備えている。また、従動ギヤ３１は、ブラケット２５の水平板３３上に設けられて回転体２１側に配置される。
【００４６】
駆動ギヤ３０、従動ギヤ３１、およびテンションギヤ３２は、左右方向に沿う支軸３０ａ，３１ａ，３２ａを介して、垂直面内で駆動する。また、駆動ギヤ３０、従動ギヤ３１、およびテンションギヤ３２には、チェーンＣが巻掛けられている。駆動ギヤ３０、テンションギヤ３２および従動ギヤ３１は、この順で上位置に配置されている。また、テンションギヤ３２、従動ギヤ３１、駆動ギヤ３０の順に上流側から下流側に配置されている。なお、駆動ギヤ３０の歯数は、従動ギヤ３１の歯数に比べ、多く設定されている。
【００４７】
図５に示すように、伝達部２８は、ブラケット２５の水平板３３に設けられて従動ギヤ３１の駆動を伝達する軸受３４と、水平板３３上に設けられ、軸受３４の中心軸３４ａから動力を得るベベルギヤ機構（マイタ歯車機構）３５とを備える。軸受３４の中心軸３４ａは、軸受３４から一方（回転体２１側）へ突出し、従動ギヤ３１の支軸３１ａに連結されている。
【００４８】
ベベルギヤ機構３５は、三つのベベルギヤと、ベベルギヤの駆動を回転体２１に伝達するためのプーリ装置３６とを備える。
【００４９】
ベベルギヤは、軸受３４の中心軸３４ａに連結された駆動ベベル３７と、回転体２１を右回転させる右回転用ベベル３８と、回転体２１を左回転させる左回転用ベベル３９とを備える。駆動ベベル３７は、その歯部を水平面内の搬送方向で回転させる。右回転用ベベル３８、左回転用ベベル３９の歯部は、搬送方向で対向しており、右回転用ベベル３８、左回転用ベベル３９の歯部は水平面内の左右方向で回転させるよう構成されている。
【００５０】
右回転用ベベル３８、左回転用ベベル３９の軸心となる兼用軸４０が、右回転用ベベル３８、左回転用ベベル３９に挿通されている。この兼用軸４０の両端は、ブラケット２５の水平板３３に、軸受４０ａ，４０ａを介して支持されている。ベベルギヤは、駆動ベベル３７に対して、兼用軸４０上に沿って、右回転用ベベル３８、左回転用ベベル３９を選択できるよう構成されている。
【００５１】
プーリ装置３６は、兼用軸４０に外嵌された駆動プーリ４１と、回転体２１の軸心２１ａ回りに外嵌された従動プーリ４２と、駆動プーリ４１および従動プーリ４２に巻回されたベルト４３とを有する。
【００５２】
ベベルギヤ機構３５では、駆動ベベル３７、右回転用ベベル３８（左回転用ベベル３９）、駆動プーリ４１、従動プーリ４２の径によって、従動ギヤ３１からの駆動力に対して、回転体２１をわずかに早く回転させ得る。
【００５３】
上記構成の包装機１では、被包装物２は供給部から供給され、帯状フィルム３は被包装物２を包んで、製袋器４により製袋され、帯状フィルム３において下側で重ね合わされる帯状フィルム部分が、載置台１０のうち一方台１１と他方台１２の間の隙間δに入り込み、被包装物２（帯状フィルム３を含む）は、上面１０ａ上を下流側に搬送される（図６（ａ）（ｂ））。
【００５４】
帯状フィルム３の帯状フィルム部分（帯状フィルム３の両側端部）が重ね合わせられ、センターシール装置５に至ると、縦軸５ａを介して回動するセンターシーラ１４によって加熱により溶着され、帯状フィルム３の帯状フィルム部分（重ね合された両側端部）がセンターシール部１５となり、前記切除部により、センターシール部１５の先端部が高さを揃えるべく切除される。
【００５５】
ところで、包装機１には、折曲げ装置２０が設けられている。この折曲げ装置２０によれば、センターシール装置５によって形成されたセンターシール部１５が、本体３ａ（被包装物２の底面を覆う帯状フィルム部分）に対して折曲げられる。すなわち、折曲げ装置２０は、センターシール部１５を本体３ａに対して倒すように折曲げる。
【００５６】
センターシール部１５の折曲げ方について、図４ないし７に基づいて説明する。まず、駆動ギヤ３０は、支軸３０ａを介してフィルム駆動源に直結しているから、フィルム駆動源の動力が伝達されて駆動ギヤ３０が回転すると、チェーンＣに巻掛けられた従動ギヤ３１が、支軸３１ａを介して回転する。なお、駆動ギヤ３０が回転すると、チェーンＣに巻掛けられたテンションギヤ３２も回転する。
【００５７】
従動ギヤ３１が駆動すると、その支軸３１ａには軸受３４の中心軸３４ａが連結しており、したがって、ベベルギヤ機構３５のうち駆動ベベル３７が回転する。そして、右回転用ベベル３８または左回転用ベベル３９のうち、駆動ベベル３７に右回転用ベベル３８が噛合していれば（駆動ベベル３７に左回転用ベベル３９が噛合していなければ）、右回転用ベベル３８が駆動し、兼用軸４０が時計回りに回転する。なお、時計回りとは図３を参照した場合であり、以下同様とする。
【００５８】
右回転用ベベル３８が駆動すると、プーリ装置３６のうち、兼用軸４０に外嵌された駆動プーリ４１が時計回りに回転する。そうなると、駆動プーリ４１にベルト４３を介して連結されている従動プーリ４２が時計方向に回転する。このため、従動プーリ４２に、軸心２１ａ回りに連結された回転体２１が、時計方向に回転する。つまり、フィルム駆動源に直結された駆動ギヤ３０が回転すると、回転体２１が回転する（この場合、回転体２１が時計方向に回転する）。
【００５９】
そして、回転体２１の外周面２２の中心は、幅方向において隙間δの中心と一致するよう配置され、外周面２２は、隙間δの下面からわずかに離間して設けられている。このため、センターシール装置５によってセンターシール部１５は、搬送方向に送られると、回転体２１における円錐台形状の案内板２３に案内され、本体３ａに対して折曲げられる。この場合では、センターシール部１５は本体３ａに対して、図７（ｃ）（ｄ）に示すように、左方向に折曲げられる。
【００６０】
また、外周面２２は、隙間δの下面からわずかに離間して設けられ、外周面２２が搬送方向に対して直角な方向で回転する。このため、センターシール部１５は、本体３ａから載置台１０の厚み分だけ離間して、その高さ方向が搬送方向に対し直角に倣うように、基端部で折り曲げられる。
【００６１】
回転体２１の外周面２２は、帯状フィルム３の搬送方向であるセンターシール部１５の搬送方向に対して、垂直な方向に回転するよう構成されている。この構成によれば、センターシール部１５が、搬送方向に対し直角に倣うように倒される。
【００６２】
そして、回転体２１の外周面２２がセンターシール部１５に当たる部分１５ａでは、回転体２１の回転によるセンターシール部１５に対して曲げの力が働く。したがって、帯状フィルム３が高速化していても、また、センターシール装置５によってセンターシール部１５が加熱していた場合にでも、センターシール部１５に皺が寄らず、センターシール部１５を確実に倒すことができる。
【００６３】
また、帯状フィルム３の搬送方向への送り速度に比べて、回転体２１の駆動速度が等しい構成である。これによって、センターシール装置５によってセンターシール部１５が加熱していた場合にでも、センターシール部１５を回転体２１の回転方向に伸ばしながら倒すことができる。したがって、回転体２１によって、センターシール部１５を確実に倒すことができる。
【００６４】
回転体２１の外周面２２は合成ゴムによって形成されている。この構成によれば、回転体２１の外周面２２がセンターシール部１５に接触した際に、回転体２１の外周面２２により、センターシール部１５が回転体２１の回転方向に伸ばされる。したがって、センターシール部１５が回転体２１の回転方向に伸ばされる分だけ、センターシール部１５に皺が寄りにくい。
【００６５】
回転体２１の外周面２２は、センターシール部１５の基端部に接続しているから、センターシール部１５の基端部側から倒すことができる。
【００６６】
また、回転体２１の外周面２２における半径は、センターシール部１５の高さよりも短く形成されているが、回転体２１の外周面２２における半径がセンターシール部１５よりも小さいと、センターシール部１５の折曲げ角度が小さくなり、大きいと、センターシール部１５の折曲げ角度が大きくなる。よって、センターシール部１５の高さよりも長い半径の回転体２１を用いることで、センターシール部１５に全体的に接触しながら、センターシール部１５を確実に倒すことができる。
【００６７】
なお、折曲げ装置２０の回転体２１は、センターシール部１５（帯状フィルム３）が継続している限り駆動するように構成することができる。
【００６８】
折曲げ装置２０によりセンターシール部１５が折曲げられた後は、製袋器４の下流側に配置された送りコンベア６に被包装物２（帯状フィルム３）が送られ、送りコンベア６の下流側にあって、被包装物２を帯状フィルム３ごと所定幅で溶着して切断することによって個別に包装するエンドシール装置７で、個別包装とされる。
【００６９】
このエンドシール装置７で被包装物２を帯状フィルム３ごと溶着して切断することによって、個別に包装する際にも、センターシール部１５に皺が寄りにくいため、帯状フィルム３が確実に溶着されて、切断される。
【００７０】
本実施形態では、帯状フィルム３におけるセンターシール部１５が、載置台１０の隙間δから下方に突出した状態で搬送されるが、折曲げ装置２０は、載置台１０の下方に配置され、センターシール部１５を、前記隙間δを画定する対向縁部を起点に倒すよう構成されている。このため、折曲げ装置２０は、センターシール部１５を、前記対向縁部を基準として正確に倒すことができる。
【００７１】
また、包装機１のユーザによっては、回転体２１を左回転させる場合も考えられる。この場合では、駆動ベベル３７に対して、右回転用ベベル３８を離間させ、左回転用ベベル３９を噛合させることで、回転体２１を左回転させる。すなわち、回転体２１は、帯状フィルム３の幅方向一方側への駆動と、他方側への駆動とを選択可能に構成されている。折曲げ装置２０における他の構成については、上記と同様である。
【００７２】
本発明は、上記実施形態に限定されず、本発明の主旨を逸脱しない範囲で種々変形が可能である。その他、各部の具体的構成についても上記実施形態に限られるものではない。
【００７３】
例えば、上記実施形態では、回転体２１の回転軸２１ａが搬送方向に並行で、外周面２２が水平方向の回転をするようにした場合を例示した。しかしながら、例えば回転体２１を下方ほど上流側に配置した円盤状に構成して、その回転軸２１ａを搬送方向に対して上下で斜めにするよう設けることもできる。
【００７４】
この場合では、センターシール部１５は回転体２１における円錐台形状の案内板２３に案内される。そして、案内板２３に案内される分だけ、上記実施形態と比べると、センターシール部１５に接触する面積は小さくなるが、センターシール装置５によってセンターシール部１５が加熱していた場合にでも、センターシール部１５に皺が寄らず、センターシール部１５を確実に倒すことができる。なお、回転体２１は、その回転軸２１ａが左右方向で斜めになるように設けることも可能である。
【００７５】
上記実施形態では、回転体２１の外周面２２は、センターシール部１５に対して直下に設けた場合を例示した。しかしながら、回転体２１は、センターシール部１５の左右方向に位置ずれさせることもできる。
【００７６】
上記実施形態では、回転体２１は、製袋器４の載置台１０の下側に配置した場合を例示した。しかしながら、回転体２１は、載置台１０の下側に配置する場合に限らず、載置台１０とは別体とした下流側で、送りコンベヤ６の上流側に設けてもよい。この場合、回転体２１の外周面２２が、載置台１０を介さずに、センターシール部１５の基端部（本体３ａの付け根）に直接接触させることで、センターシール部１５全体を、基端部から折曲げることができる。
【００７７】
回転体２１の外周面２２は、合成ゴムから構成された場合を例示した。しかしながら、外周面２２は、例えばローレット加工などの滑り止め加工を施した金属、または合成樹脂より形成することもできる。このような滑り止め機能付き金属、または樹脂によっても、回転体２１の外周面２２がセンターシール部１５に接触した際に、回転体２１の外周面２２により、センターシール部１５が回転体２１の回転方向に伸ばされる。
【００７８】
包装機１の折曲げ装置２０は、横型ピロー包装機で説明した場合を例示した。しかしながら、折曲げ装置２０は、縦型ピロー包装機であっても適用できる。この場合、回転体２１の軸心２１ａは鉛直方向に配置された軸となる。また、上記実施形態では、帯状フィルム３をシュリンクフィルムとした場合で説明したが、折曲げ装置２０は、シュリンクフィルム以外のフィルムにも適用できる。
【００７９】
上記実施形態では、帯状フィルム３の搬送方向への送り速度に比べ、回転体２１の駆動速度が等しい構成である場合を例示した。しかしながら、回転体２１の駆動速度は、帯状フィルム３の搬送方向と等しい場合に限らず、回転体２１の駆動速度は、帯状フィルム３の搬送方向に比べて速い場合も考えられる。この場合も、センターシール装置５によってセンターシール部１５が加熱していた場合にでも、センターシール部１５に皺が寄らず、センターシール部１５を確実に倒すことができる。
【００８０】
なお、折曲げ装置２０の回転体２１は円盤状のもの以外に、無端ベルトを駆動する形態によっても構成できる。
【符号の説明】
【００８１】
１…包装機、２…被包装物、３…帯状フィルム、３ａ…本体、４…製袋器、５…センターシール装置、７…エンドシール装置、８…製袋本体、１０…載置台、１０ａ…上面、１１…一方台、１２…他方台、１４…センターシーラ、１５…センターシール部、１５ｂ…先端側、１６…下コンベア、１６ａ…搬送面、１７…上コンベア、１８…下側シーラ、１９…上側シーラ、２０…折曲げ装置、２１…回転体、２２…外周面、２３…案内板、２４…包装機基体、２５…ブラケット、２６…駆動部、２７…ギヤ装置、２８…伝達部、３０…駆動ギヤ、３１…従動ギヤ、３２…テンションギヤ、３３…水平板、３４…軸受、３５…ベべルギヤ機構、３６…プーリ装置、３７…駆動ベルト、３８…右回転用ベベル、３９…左回転用ベベル、４０…兼用軸、４１…駆動プーリ、４２…従動プーリ、δ…隙間
【図１】
2019214397.tif 000003
【図２】
2019214397.tif 000004
【図３】
2019214397.tif 000005
【図４】
2019214397.tif 000006
【図５】
2019214397.tif 000007
【図６】
2019214397.tif 000008
【図７】
2019214397.tif 000009